(57)【要約】【課題】携帯端末の表示領域の大きさを考慮せずに、特定の情報を携帯端末の表示領域に表示する構成と比較して、特定の情報及び携帯端末の表示領域に表示中の情報を把握し易くする。【解決手段】携帯端末の表示領域の大きさを取得する取得手段と、自装置に格納される特定の情報を表示する場合に、携帯端末の表示領域の大きさに応じて、特定の情報を自装置の表示領域及び携帯端末の表示領域の少なくとも何れか一方に表示する表示手段とを備える情報処理装置。【選択図】図５
2020053781.tif 000002
【特許請求の範囲】
【請求項１】
携帯端末の表示領域の大きさを取得する取得手段と、
自装置に格納される特定の情報を表示する場合に、当該携帯端末の表示領域の大きさに応じて、当該特定の情報を自装置の表示領域及び当該携帯端末の表示領域の少なくとも何れか一方に表示する表示手段と
を備える情報処理装置。
【請求項２】
前記表示手段は、前記携帯端末の表示領域が予め定められた基準より小さい場合、前記特定の情報を自装置の表示領域に表示すること
を特徴とする請求項１に記載の情報処理装置。
【請求項３】
前記表示手段は、前記携帯端末の表示領域が予め定められた基準より小さい場合、前記特定の情報の一部に関する情報を当該携帯端末の表示領域に表示し、当該特定の情報のうち当該一部よりも多くの情報を自装置の表示領域に表示すること
を特徴とする請求項２に記載の情報処理装置。
【請求項４】
前記表示手段は、前記携帯端末の表示領域が自装置の表示領域よりも小さい場合、前記特定の情報を自装置の表示領域に表示すること
を特徴とする請求項１に記載の情報処理装置。
【請求項５】
前記表示手段は、前記携帯端末の表示領域の大きさと前記特定の情報の情報量とに応じて、当該特定の情報を自装置の表示領域及び当該携帯端末の表示領域の少なくとも何れか一方に表示すること
を特徴とする請求項１に記載の情報処理装置。
【請求項６】
表示領域の大きさと情報量とが予め対応付けられており、
前記表示手段は、前記特定の情報の情報量が、前記携帯端末の表示領域の大きさに対応する情報量よりも多い場合、当該特定の情報を自装置の表示領域に表示すること
を特徴とする請求項５に記載の情報処理装置。
【請求項７】
前記表示手段は、前記携帯端末の表示領域の大きさと前記特定の情報の情報量とに応じて、自装置の表示領域に表示される当該特定の情報の表示態様と、当該携帯端末の表示領域に表示される当該特定の情報の表示態様とを変えること
を特徴とする請求項５に記載の情報処理装置。
【請求項８】
前記表示手段は、前記特定の情報の情報量が前記携帯端末の表示領域に表示可能な情報量を超えている場合、当該特定の情報の一部に関する情報を当該携帯端末の表示領域に表示し、当該一部に関する情報よりも情報量の多い情報を自装置の表示領域に表示すること
を特徴とする請求項７に記載の情報処理装置。
【請求項９】
前記表示手段は、前記携帯端末の表示領域に前記特定の情報の全部を表示する際の文字の大きさが予め定められた基準よりも小さくなる場合、当該特定の情報の一部に関する情報を当該携帯端末の表示領域に表示し、当該一部に関する情報よりも情報量の多い情報を自装置の表示領域に表示すること
を特徴とする請求項７に記載の情報処理装置。
【請求項１０】
前記表示手段は、前記特定の情報が秘密情報の入力を受け付けるための情報である場合、前記携帯端末の表示領域の大きさによらず、当該特定の情報を自装置の表示領域に表示すること
を特徴とする請求項１に記載の情報処理装置。
【請求項１１】
前記表示手段は、自装置にて予め定められたセキュリティ設定がされている場合には、前記特定の情報を前記携帯端末の表示領域に表示すること
を特徴とする請求項１０に記載の情報処理装置。
【請求項１２】
前記表示手段は、自装置にて予め定められたセキュリティ設定がされていない場合、当該セキュリティ設定に関する情報を自装置の表示領域又は前記携帯端末の表示領域に表示し、自装置にて当該セキュリティ設定がされた後、前記特定の情報を当該携帯端末の表示領域に表示すること
を特徴とする請求項１０に記載の情報処理装置。
【請求項１３】
前記特定の情報は、自装置の処理に関する情報であり、
前記表示手段は、前記携帯端末が自装置から予め定められた範囲内に近付いた場合に、前記自装置の処理に関する情報を表示すること
を特徴とする請求項１に記載の情報処理装置。
【請求項１４】
前記表示手段は、前記携帯端末の表示領域に予め定められた情報が表示された状態で、当該携帯端末が自装置から予め定められた範囲内に近付いた場合に、前記自装置の処理に関する情報として、当該予め定められた情報に関連する情報を表示すること
を特徴とする請求項１３に記載の情報処理装置。
【請求項１５】
コンピュータに、
携帯端末の表示領域の大きさを取得する機能と、
自装置に格納される特定の情報を表示する場合に、当該携帯端末の表示領域の大きさに応じて、当該特定の情報を自装置の表示領域及び当該携帯端末の表示領域の少なくとも何れか一方に表示させるためのデータを出力する機能と
を実現させるためのプログラム。
【発明の詳細な説明】
【技術分野】
【０００１】
本発明は、情報処理装置及びプログラムに関する。
【背景技術】
【０００２】
例えば、引用文献１には、携帯端末から携帯端末に表示中の画面に関連する補助画面の表示指示を受信したとき、自装置の使用状態から表示部に補助画面を表示させるか否かを判断し、表示部に補助画面を表示させると判断した場合は、表示部に補助画面を表示させる補助画面表示処理を行い、表示部に補助画面を表示させないと判断した場合は、所定の外部装置に補助画面を表示させる代理表示処理を行うジョブ処理装置が開示されている。
【先行技術文献】
【特許文献】
【０００３】
【特許文献１】特許第６２２２４８８号公報
【発明の概要】
【発明が解決しようとする課題】
【０００４】
例えば情報処理装置に対して指示を行う際に、携帯端末に特定の情報を表示する場合がある。ここで、携帯端末の表示領域の大きさを考慮せずに特定の情報を表示すると、例えば、特定の情報の一部しか表示されなかったり、表示中の情報と重なって表示されたりして、特定の情報や携帯端末の表示領域に表示中の情報を把握するのが難しい状況が生じ得る。
本発明の目的は、携帯端末の表示領域の大きさを考慮せずに、特定の情報を携帯端末の表示領域に表示する構成と比較して、特定の情報及び携帯端末の表示領域に表示中の情報を把握し易くすることにある。
【課題を解決するための手段】
【０００５】
請求項１に記載の発明は、携帯端末の表示領域の大きさを取得する取得手段と、自装置に格納される特定の情報を表示する場合に、当該携帯端末の表示領域の大きさに応じて、当該特定の情報を自装置の表示領域及び当該携帯端末の表示領域の少なくとも何れか一方に表示する表示手段とを備える情報処理装置である。
請求項２に記載の発明は、前記表示手段は、前記携帯端末の表示領域が予め定められた基準より小さい場合、前記特定の情報を自装置の表示領域に表示することを特徴とする請求項１に記載の情報処理装置である。
請求項３に記載の発明は、前記表示手段は、前記携帯端末の表示領域が予め定められた基準より小さい場合、前記特定の情報の一部に関する情報を当該携帯端末の表示領域に表示し、当該特定の情報のうち当該一部よりも多くの情報を自装置の表示領域に表示することを特徴とする請求項２に記載の情報処理装置である。
請求項４に記載の発明は、前記表示手段は、前記携帯端末の表示領域が自装置の表示領域よりも小さい場合、前記特定の情報を自装置の表示領域に表示することを特徴とする請求項１に記載の情報処理装置である。
請求項５に記載の発明は、前記表示手段は、前記携帯端末の表示領域の大きさと前記特定の情報の情報量とに応じて、当該特定の情報を自装置の表示領域及び当該携帯端末の表示領域の少なくとも何れか一方に表示することを特徴とする請求項１に記載の情報処理装置である。
請求項６に記載の発明は、表示領域の大きさと情報量とが予め対応付けられており、前記表示手段は、前記特定の情報の情報量が、前記携帯端末の表示領域の大きさに対応する情報量よりも多い場合、当該特定の情報を自装置の表示領域に表示することを特徴とする請求項５に記載の情報処理装置である。
請求項７に記載の発明は、前記表示手段は、前記携帯端末の表示領域の大きさと前記特定の情報の情報量とに応じて、自装置の表示領域に表示される当該特定の情報の表示態様と、当該携帯端末の表示領域に表示される当該特定の情報の表示態様とを変えることを特徴とする請求項５に記載の情報処理装置である。
請求項８に記載の発明は、前記表示手段は、前記特定の情報の情報量が前記携帯端末の表示領域に表示可能な情報量を超えている場合、当該特定の情報の一部に関する情報を当該携帯端末の表示領域に表示し、当該一部に関する情報よりも情報量の多い情報を自装置の表示領域に表示することを特徴とする請求項７に記載の情報処理装置である。
請求項９に記載の発明は、前記表示手段は、前記携帯端末の表示領域に前記特定の情報の全部を表示する際の文字の大きさが予め定められた基準よりも小さくなる場合、当該特定の情報の一部に関する情報を当該携帯端末の表示領域に表示し、当該一部に関する情報よりも情報量の多い情報を自装置の表示領域に表示することを特徴とする請求項７に記載の情報処理装置である。
請求項１０に記載の発明は、前記表示手段は、前記特定の情報が秘密情報の入力を受け付けるための情報である場合、前記携帯端末の表示領域の大きさによらず、当該特定の情報を自装置の表示領域に表示することを特徴とする請求項１に記載の情報処理装置である。
請求項１１に記載の発明は、前記表示手段は、自装置にて予め定められたセキュリティ設定がされている場合には、前記特定の情報を前記携帯端末の表示領域に表示することを特徴とする請求項１０に記載の情報処理装置である。
請求項１２に記載の発明は、前記表示手段は、自装置にて予め定められたセキュリティ設定がされていない場合、当該セキュリティ設定に関する情報を自装置の表示領域又は前記携帯端末の表示領域に表示し、自装置にて当該セキュリティ設定がされた後、前記特定の情報を当該携帯端末の表示領域に表示することを特徴とする請求項１０に記載の情報処理装置である。
請求項１３に記載の発明は、前記特定の情報は、自装置の処理に関する情報であり、前記表示手段は、前記携帯端末が自装置から予め定められた範囲内に近付いた場合に、前記自装置の処理に関する情報を表示することを特徴とする請求項１に記載の情報処理装置である。
請求項１４に記載の発明は、前記表示手段は、前記携帯端末の表示領域に予め定められた情報が表示された状態で、当該携帯端末が自装置から予め定められた範囲内に近付いた場合に、前記自装置の処理に関する情報として、当該予め定められた情報に関連する情報を表示することを特徴とする請求項１３に記載の情報処理装置である。
請求項１５に記載の発明は、コンピュータに、携帯端末の表示領域の大きさを取得する機能と、自装置に格納される特定の情報を表示する場合に、当該携帯端末の表示領域の大きさに応じて、当該特定の情報を自装置の表示領域及び当該携帯端末の表示領域の少なくとも何れか一方に表示させるためのデータを出力する機能とを実現させるためのプログラムである。
【発明の効果】
【０００６】
請求項１記載の発明によれば、携帯端末の表示領域の大きさを考慮せずに、特定の情報を携帯端末の表示領域に表示する構成と比較して、特定の情報及び携帯端末の表示領域に表示中の情報が把握し易くなる。
請求項２記載の発明によれば、より確実に、特定の情報及び携帯端末の表示領域に表示中の情報が把握し易くなる。
請求項３記載の発明によれば、特定の情報の一部に関する情報を携帯端末の表示領域にて把握できるようになる。
請求項４記載の発明によれば、より確実に、特定の情報及び携帯端末の表示領域に表示中の情報が把握し易くなる。
請求項５記載の発明によれば、特定の情報の情報量を考慮せずに、特定の情報を携帯端末の表示領域に表示する構成と比較して、特定の情報及び携帯端末の表示領域に表示中の情報が把握し易くなる。
請求項６記載の発明によれば、より確実に、特定の情報及び携帯端末の表示領域に表示中の情報が把握し易くなる。
請求項７記載の発明によれば、さらに、特定の情報及び携帯端末の表示領域に表示中の情報が把握し易くなる。
請求項８記載の発明によれば、携帯端末の表示領域に表示可能な情報量を超えないようにするとともに、特定の情報及び携帯端末の表示領域に表示中の情報を把握し易くすることができる。
請求項９記載の発明によれば、携帯端末の表示領域に表示される文字が予め定められた基準よりも小さくならないようにするとともに、特定の情報及び携帯端末の表示領域に表示中の情報を把握し易くすることができる。
請求項１０記載の発明によれば、特定の情報を携帯端末の表示領域に表示する構成と比較して、秘密情報が外部に漏れるのを抑制することができる。
請求項１１記載の発明によれば、自装置にて予め定められたセキュリティ設定がされていない場合に、特定の情報を携帯端末の表示領域に表示する構成と比較して、秘密情報が外部に漏れるのを抑制することができる。
請求項１２記載の発明によれば、自装置にて予め定められたセキュリティ設定がされていない場合であっても、特定の情報を携帯端末の表示領域に表示するとともに、秘密情報が外部に漏れるのを抑制することができる。
請求項１３記載の発明によれば、操作者が自装置の処理を実行し易くなる。
請求項１４記載の発明によれば、さらに、操作者が自装置の処理を実行し易くなる。
請求項１５記載の発明によれば、携帯端末の表示領域の大きさを考慮せずに、特定の情報を携帯端末の表示領域に表示する構成と比較して、特定の情報及び携帯端末の表示領域に表示中の情報を把握し易くする機能を、コンピュータにより実現できる。
【図面の簡単な説明】
【０００７】
【図１】本実施の形態に係る情報処理システムの全体構成例を示した図である。
【図２】本実施の形態に係る画像処理装置のハードウェア構成例を示した図である。
【図３】本実施の形態に係る携帯端末のハードウェア構成例を示した図である。
【図４】本実施の形態に係る画像処理装置の機能構成例を示したブロック図である。
【図５】携帯端末表示領域の大きさに応じて特定の情報を表示する場合の処理の手順の一例を示すフローチャートである。
【図６】携帯端末表示領域の大きさに応じて特定の情報を表示する場合の処理の手順の一例を示すフローチャートである。
【図７】特定の情報の情報量と携帯端末表示領域の大きさとに応じて特定の情報を表示する場合の処理の手順の一例を示すフローチャートである。
【図８】特定の情報の情報量と携帯端末表示領域の大きさとに応じて特定の情報を表示する場合の処理の手順の一例を示すフローチャートである。
【図９】特定の情報の情報量と携帯端末表示領域の大きさとに応じて特定の情報を表示する場合の処理の手順の一例を示すフローチャートである。
【図１０】特定の情報の秘密性に応じて特定の情報を表示する場合の処理の手順の一例を示すフローチャートである。
【図１１】表示制御部による表示制御の手順の一例を示したシーケンスチャートである。
【図１２】表示制御部による表示制御の手順の一例を示したシーケンスチャートである。
【図１３】（Ａ）〜（Ｃ）は、表示制御部の表示制御により、携帯端末表示領域又は自装置表示領域に表示される画面の一例を示す図である。
【図１４】（Ａ）、（Ｂ）は、表示制御部の表示制御により、携帯端末表示領域又は自装置表示領域に表示される画面の一例を示す図である。
【図１５】（Ａ）〜（Ｃ）は、表示制御部の表示制御により、携帯端末表示領域又は自装置表示領域に表示される画面の一例を示す図である。
【図１６】表示制御部による表示制御の手順の他の例を示したシーケンスチャートである。
【図１７】（Ａ）、（Ｂ）は、表示制御部の表示制御により、携帯端末表示領域又は自装置表示領域に表示される画面の他の例を示す図である。
【図１８】本実施の形態が適用されるコンピュータのハードウェア構成例を示した図である。
【発明を実施するための形態】
【０００８】
以下、添付図面を参照して、本発明の実施の形態について詳細に説明する。
【０００９】
＜システム構成＞
図１は、本実施の形態に係る情報処理システム１の全体構成例を示した図である。図示するように、情報処理システム１は、画像処理装置１００と携帯端末２００とを備える。本実施の形態では、情報処理装置の一例として、画像処理装置１００が用いられる。
【００１０】
画像処理装置１００は、例えば、プリント機能、スキャン機能、コピー機能及びファクシミリ機能等の機能を有し、画像処理を実行する装置である。画像処理装置１００は、Ｗｉ−Ｆｉ（Wireless Fidelity）（登録商標）等の無線ＬＡＮ（Local Area Network）規格に対応し、無線による通信が可能である。そして、画像処理装置１００は、無線通信により、携帯端末２００との間でデータの送受信を行う。
【００１１】
携帯端末２００は、操作者が操作するものとして設けられた携帯型のコンピュータ装置である。携帯端末２００としては、例えば、スマートフォン、携帯電話、タブレットＰＣ（Personal Computer）、ノートＰＣ等が例示される。携帯端末２００も、画像処理装置１００と同様に、Ｗｉ−Ｆｉ等の無線ＬＡＮ規格に対応しており、無線通信により、画像処理装置１００との間でデータの送受信を行う。
ただし、本実施の形態では、画像処理装置１００と携帯端末２００との間のデータの送受信を、無線通信ではなく有線通信で行ってもよい。
【００１２】
＜画像処理装置のハードウェア構成＞
図２は、本実施の形態に係る画像処理装置１００のハードウェア構成例を示した図である。画像処理装置１００は、ＣＰＵ（Central Processing Unit）１０１、ＲＯＭ（Read Only Memory）１０２、ＲＡＭ（Random Access Memory）１０３、表示機構１０４、画像読取部１０５、画像形成部１０６、画像処理部１０７、通信部１０８、記憶装置１０９を備える。なお、これらの各機能部は、バス１１０に接続されており、このバス１１０を介してデータの授受を行う。
【００１３】
ＣＰＵ１０１は、各種プログラムを実行する。また、ＲＯＭ１０２は、ＣＰＵ１０１により実行される制御プログラムを記憶している。そして、ＣＰＵ１０１は、ＲＯＭ１０２に記憶されている制御プログラムを読み出し、ＲＡＭ１０３を作業エリアにして制御プログラムを実行する。ＣＰＵ１０１により制御プログラムが実行されると、画像処理装置１００における各機能が実現される。これにより、例えば、表示機構１０４に予め定められた表示がなされる。また、用紙への画像形成や、画像読取部１０５にセットされた原稿の読み取りなどが行われる。
【００１４】
表示機構１０４は、各種の情報を表示するとともに、操作者からの操作を受け付ける。この表示機構１０４は、液晶ディスプレイ等で構成された表示パネル、表示パネルの上に配置され、操作者による接触が行われたことを検知するタッチパネル、操作者により押下される物理キー等から構成される。そして、表示機構１０４は、例えば、画像処理装置１００の操作画面等の各種画面を表示パネルに表示したり、タッチパネル及び物理キーにより操作者からの操作を受け付けたりする。なお、接触を検知する手段としては、接触による圧力をもとに検知する手段や、接触した物の静電気をもとに検知する手段等、どのようなものが用いられてもよい。
なお、以下では、表示機構１０４の表示パネルにおいて画面が表示される表示領域を、「自装置表示領域」と称することとする。
【００１５】
画像読取部１０５は、文書を読み取り、読み取った文書の画像を表す画像データを生成する。ここで、画像読取部１０５は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いると良い。
【００１６】
画像形成部１０６は、用紙等の記録媒体に画像を形成する印刷機構を備えている。ここで、画像形成部１０６は、例えばプリンタであり、感光体に付着させたトナーを記録媒体に転写して像を形成する電子写真方式や、インクを記録媒体上に吐出して像を形成するインクジェット方式のものを用いると良い。
【００１７】
画像処理部１０７は、入力される画像データに色補正や階調補正等の画像処理を施すものであり、画像処理が施された画像データを生成して画像形成部１０６へ出力する。
【００１８】
通信部１０８は、不図示の通信回線に接続されており、通信回線に接続されている他装置と通信を行う通信インタフェースとして機能する。例えば、ファクシミリ機能が実行される場合には、画像読取部１０５にて読み取った文書の画像データが通信部１０８によって宛先の他装置へ送信される。また、通信部１０８は、Ｗｉ−Ｆｉ等の無線ＬＡＮ規格に対応しており、無線通信により、携帯端末２００との間でデータの送受信を行う。
【００１９】
記憶装置１０９は、ハードディスク装置などの記憶領域を具備しており、例えば通信部１０８で受信したデータや画像処理装置１００で生成されたデータ等を記憶する。また、記憶装置１０９は、例えば、ファクシミリ機能を実行する場合やメールを送信する場合の宛先のリスト（以下、宛先リストと称する）の情報を記憶する。
【００２０】
＜携帯端末のハードウェア構成＞
図３は、本実施の形態に係る携帯端末２００のハードウェア構成例を示した図である。携帯端末２００は、ＣＰＵ２０１と、記憶手段であるメモリ２０２とを備える。ＣＰＵ２０１は、ＯＳやアプリケーション等の各種ソフトウェアを実行し、後述する各種機能を実行する。また、メモリ２０２は、各種ソフトウェアやその実行に用いるデータ等を記憶する記憶領域を有する。
【００２１】
さらに、携帯端末２００は、外部との無線通信を行うための無線Ｉ／Ｆ２０３、画像を表示する画像表示部２０４を備える。
無線Ｉ／Ｆ２０３は、画像処理装置１００との間で無線通信を行い、各種データの送受信を行う通信インタフェースとして機能する。
画像表示部２０４は、例えば、タッチパネルである。そのため画像表示部２０４は、表示パネルを備えるとともに、接触が行われたことを検知するタッチパネルを備えている。接触を検知する手段は、接触による圧力をもとに検知する手段や、接触した物の静電気をもとに検知する手段等、どのようなものが用いられてもよい。
なお、以下では、画像表示部２０４の表示パネルにおいて画面が表示される表示領域を、「携帯端末表示領域」と称することとする。
【００２２】
また、携帯端末２００は、記憶手段として、例えばＨＤＤ（Hard Disk Drive）やフラッシュメモリなどを備えてもよい。ＨＤＤやフラッシュメモリは、各種ソフトウェアや、各種ソフトウェアに対する入力データ、各種ソフトウェアからの出力データ等を記憶する。また、携帯端末２００は、キーボードやマウス等の入力デバイスを備えてもよい。
【００２３】
＜画像処理装置の機能構成＞
次に、本実施の形態に係る画像処理装置１００の機能構成について説明する。図４は、本実施の形態に係る画像処理装置１００の機能構成例を示したブロック図である。本実施の形態に係る画像処理装置１００は、表示要求受付部１１１と、表示領域情報取得部１１２と、表示制御部１１３とを備える。
【００２４】
表示要求受付部１１１は、自装置に格納される特定の情報の表示要求を受け付ける。この表示要求は、例えば、画像処理装置１００に格納されている画像データの確認要求や編集要求である。また、例えば、画像処理装置１００に格納されている宛先リストの確認要求や編集要求である。付言すると、表示要求受付部１１１は、例えば、操作者が携帯端末２００を操作することで、携帯端末２００から、無線通信により、特定の情報の表示要求を受け付ける。また、表示要求受付部１１１は、例えば、操作者が画像処理装置１００を操作することで、特定の情報の表示要求を受け付けてもよい。
【００２５】
表示領域情報取得部１１２は、携帯端末２００の表示領域（即ち、携帯端末表示領域）の大きさを取得する。
ここで、表示領域情報取得部１１２は、例えば、携帯端末２００が、特定の情報の表示要求とともに携帯端末表示領域の大きさを送信することにより、携帯端末表示領域の大きさを取得する。また、表示領域情報取得部１１２は、操作者が操作している携帯端末２００に対して携帯端末表示領域の大きさを送信するように要求して、携帯端末表示領域の大きさを取得してもよい。さらに、操作者が操作している携帯端末２００が特定されていない場合であっても、例えば画像処理装置１００から予め定められた範囲内にある携帯端末２００に対して携帯端末表示領域の大きさを送信するように要求して、携帯端末表示領域の大きさを取得してもよい。
一例として、携帯端末２００がスマートフォンの場合、携帯端末表示領域の大きさは、例えば、５インチ（縦１１．０５ｃｍ、横６．２２ｃｍ）である。
【００２６】
表示制御部１１３は、表示機構１０４の表示パネルに画面を表示させるためのデータを出力し、表示パネルの表示を制御する。また、表示制御部１１３は、携帯端末２００に対して、携帯端末２００の画像表示部２０４に画面を表示させるためのデータを出力し、画像表示部２０４の表示を制御する。
ここで、表示制御部１１３は、表示要求受付部１１１が受け付けた表示要求により、自装置に格納される特定の情報を表示する場合に、表示領域情報取得部１１２が取得した携帯端末表示領域の大きさに応じて、特定の情報を自装置表示領域及び携帯端末表示領域の少なくとも何れか一方に表示する。また、表示制御部１１３は、特定の情報の情報量や特定の情報の性質に応じて、特定の情報を自装置表示領域及び携帯端末表示領域の少なくとも何れか一方に表示してもよい。表示制御部１１３による表示制御の詳細については、後述する。
【００２７】
そして、上述したように、ＣＰＵ１０１にて制御プログラムが実行されることにより、表示要求受付部１１１、表示領域情報取得部１１２、表示制御部１１３等の機能部が実現される。また、本実施の形態では、取得手段の一例として、表示領域情報取得部１１２が用いられる。さらに、表示手段の一例として、表示制御部１１３が用いられる。
【００２８】
＜表示要求受付部が表示要求を受け付ける処理の説明＞
次に、表示要求受付部１１１が表示要求を受け付ける処理について説明する。
表示要求受付部１１１は、上述したように、例えば操作者が携帯端末２００や画像処理装置１００を操作することにより、自装置に格納される特定の情報の表示要求を受け付ける。
【００２９】
より具体的には、例えば、操作者が携帯端末表示領域上で操作して、画像処理装置１００に格納されている画像データの確認要求や編集要求をすることにより、表示要求受付部１１１は、画像データの表示要求を受け付ける。また、例えば、操作者が携帯端末表示領域上で操作して、画像処理装置１００に格納されている宛先リストの確認要求や編集要求をすることにより、表示要求受付部１１１は、宛先リストの表示要求を受け付ける。さらに、例えば、操作者が自装置表示領域上で操作して、画像処理装置１００に格納されている画像データや宛先リストを確認する操作をしたり、編集する操作をしたりすることにより、表示要求受付部１１１は、画像データや宛先リストの表示要求を受け付ける。
【００３０】
また、例えば、操作者が携帯端末２００を持って、画像処理装置１００から予め定められた範囲内に近付いた場合に、携帯端末２００が特定の情報の表示要求を行ってもよい。
より具体的には、例えば、携帯端末２００は、画像処理装置１００から予め定められた範囲内に近付いた場合、画像処理装置１００の処理に関する特定の情報を表示するように、画像処理装置１００に要求する。例えば、操作者が携帯端末２００で認証してログインした状態で画像処理装置１００に近付いた場合、携帯端末２００は、画像処理装置１００で実行可能な画像処理の一覧を表示するように要求する。また、例えば、携帯端末表示領域に予め定められた情報が表示された状態で、画像処理装置１００から予め定められた範囲内に近付いた場合、携帯端末２００は、画像処理装置１００の処理に関する情報として、予め定められた情報に関連する情報を表示するように要求する。具体的には、例えば、携帯端末表示領域にスキャン（即ち、文書の読み取り）の設定画面が表示された状態で、画像処理装置１００から予め定められた範囲内に近付いた場合、携帯端末２００は、スキャンの設定画面に関する情報（例えば、スキャンの設定画面の設定内容を説明するヘルプ情報）を表示するように要求する。
【００３１】
なお、携帯端末２００が、画像処理装置１００から予め定められた範囲内に近付いた場合に画像処理装置１００に表示要求を行う手法としては、例えば、ＮＦＣ（Ｎｅａｒ Ｆｉｅｌｄ Ｃｏｍｍｕｎｉｃａｔｉｏｎ）が例示される。ＮＦＣとは、通信距離が約１０ｃｍに限定された近距離無線通信の規格であり、操作者が携帯端末２００を画像処理装置１００に近づけることにより通信が行われる。また、携帯端末２００は、例えば、超音波やＢｌｕｅｔｏｏｔｈ（登録商標）ＬＥ（Low Energy）等のセンサーを利用して画像処理装置１００との距離を検出して表示要求を行ったり、カメラで撮影することにより画像処理装置１００との距離を検出して表示要求を行ったりしてもよい。
【００３２】
＜表示制御部による表示制御の説明＞
次に、自装置に格納される特定の情報の表示要求を受け付けた場合の表示制御部１１３による表示制御の処理について、複数の場合に分けて説明する。
【００３３】
（携帯端末表示領域の大きさに基づく処理）
表示制御部１１３は、携帯端末表示領域の大きさに応じて、特定の情報を自装置表示領域及び携帯端末表示領域の少なくとも何れか一方に表示する。また、携帯端末表示領域の大きさに応じて、自装置表示領域に表示される特定の情報の表示態様と、携帯端末表示領域に表示される特定の情報の表示態様とを変えてもよい。
【００３４】
例えば、表示制御部１１３は、携帯端末表示領域が予め定められた基準より小さい場合、特定の情報を自装置表示領域に表示する。また、表示制御部１１３は、携帯端末表示領域が予め定められた基準より大きい場合、特定の情報を携帯端末表示領域に表示する。
また、例えば、表示制御部１１３は、携帯端末表示領域と自装置表示領域とを比較して、携帯端末表示領域が自装置表示領域よりも小さい場合、特定の情報を自装置表示領域に表示する。また、表示制御部１１３は、携帯端末表示領域が自装置表示領域よりも大きい場合、特定の情報を携帯端末表示領域に表示する。
【００３５】
ここで、表示制御部１１３は、特定の情報を自装置表示領域に表示する場合には、特定の情報の一部に関する情報を携帯端末表示領域に表示する一方で、特定の情報のうち当該一部よりも多くの情報を、自装置表示領域に表示することとしてもよい。また、表示制御部１１３は、特定の情報を携帯端末表示領域に表示する場合には、特定の情報の一部に関する情報を自装置表示領域に表示する一方で、特定の情報のうち当該一部よりも多くの情報を、携帯端末表示領域に表示することとしてもよい。
【００３６】
さらに、表示制御部１１３は、携帯端末表示領域の大きさにおいて、携帯端末表示領域に表示中の画面の大きさを考慮してもよい。付言すると、携帯端末表示領域に画面が表示中の場合に、さらに特定の情報を表示すると、表示中の画面と特定の情報とが重なってしまうことが考えられる。そこで、表示制御部１１３は、携帯端末表示領域において画面が表示されていない部分（即ち、携帯端末表示領域において表示中の画面を除く部分）の大きさを、携帯端末表示領域の大きさと捉えて、特定の情報を自装置表示領域及び携帯端末表示領域の少なくとも何れか一方に表示することとしてもよい。
【００３７】
（特定の情報の性質に基づく処理）
表示制御部１１３は、特定の情報の性質に応じて、特定の情報を自装置表示領域及び携帯端末表示領域の少なくとも何れか一方に表示する。特定の情報の性質には、例えば、特定の情報の情報量、特定の情報の秘密性、特定の情報による操作の必要性などが挙げられる。
【００３８】
まず、特定の情報の情報量に基づく処理について説明する。
例えば、表示制御部１１３は、特定の情報の情報量に応じて、特定の情報を自装置表示領域及び携帯端末表示領域の少なくとも何れか一方に表示する。また、特定の情報の情報量に応じて、自装置表示領域に表示される特定の情報の表示態様と、携帯端末表示領域に表示される特定の情報の表示態様とを変えてもよい。
より具体的には、例えば、表示制御部１１３は、特定の情報の情報量が予め定められた基準よりも多い場合、特定の情報を自装置表示領域に表示する。また、表示制御部１１３は、特定の情報の情報量が予め定められた基準よりも少ない場合、特定の情報を携帯端末表示領域に表示する。
ここで、情報量とは、例えば、情報のデータ量、情報が文書である場合のページ数や文字数、情報が画像である場合の画像の大きさや画像の数である。
【００３９】
また、表示制御部１１３は、特定の情報の情報量とともに、携帯端末表示領域の大きさを考慮してもよい。即ち、表示制御部１１３は、携帯端末表示領域の大きさと、特定の情報の情報量とに応じて、特定の情報を自装置表示領域及び携帯端末表示領域の少なくとも何れか一方に表示する。また、携帯端末表示領域の大きさと特定の情報の情報量とに応じて、自装置表示領域に表示される特定の情報の表示態様と、携帯端末表示領域に表示される特定の情報の表示態様とを変えてもよい。
【００４０】
例えば、表示領域の大きさと情報量とが予め対応付けられており、特定の情報の情報量が、携帯端末表示領域の大きさに対応する情報量よりも多い場合、表示制御部１１３は、特定の情報を自装置表示領域に表示する。一方、例えば、特定の情報の情報量が、携帯端末表示領域の大きさに対応する情報量よりも少ない場合、表示制御部１１３は、特定の情報を携帯端末表示領域に表示する。
また、例えば、特定の情報の情報量が携帯端末表示領域に表示可能な情報量を超えており、特定の情報が携帯端末表示領域に収まらない場合、表示制御部１１３は、特定の情報を自装置表示領域に表示する。一方、例えば、特定の情報が携帯端末表示領域に収まる場合には、表示制御部１１３は、特定の情報を携帯端末表示領域に表示する。
さらに、例えば、特定の情報の全部を携帯端末表示領域に表示することにより、表示される文字の大きさが予め定められた基準よりも小さくなる場合には、表示制御部１１３は、特定の情報を自装置表示領域に表示する。一方、例えば、表示される文字の大きさが予め定められた基準よりも大きくなる場合には、表示制御部１１３は、特定の情報を携帯端末表示領域に表示する。なお、予め定められた基準とは、操作者が設定した値やデフォルト（即ち、初期設定）の値であり、例えば、５ｐｔ（ポイント）、２ｍｍ（ミリ）などのように「ｐｔ」や「ｍ」などの単位によって表される値である。
【００４１】
ここで、携帯端末表示領域の大きさに基づく処理と同様に、特定の情報を自装置表示領域に表示する場合には、特定の情報の一部に関する情報を携帯端末表示領域に表示する一方で、当該一部に関する情報よりも情報量の多い情報を自装置表示領域に表示してもよい。また、特定の情報を携帯端末表示領域に表示する場合には、特定の情報の一部に関する情報を自装置表示領域に表示する一方で、当該一部に関する情報よりも情報量の多い情報を、携帯端末表示領域に表示してもよい。
【００４２】
また、携帯端末表示領域の大きさに基づく処理と同様に、携帯端末表示領域に表示中の画面の大きさを考慮してもよい。例えば、表示制御部１１３は、特定の情報の情報量が携帯端末表示領域に表示可能な情報量を超えているか否かを判定する場合に、携帯端末表示領域において画面が表示されていない部分に表示可能な情報量を超えているか否かを判定する。また、表示制御部１１３は、表示される文字の大きさが予め定められた基準よりも小さくなるか否かを判定する場合、携帯端末表示領域において画面が表示されていない部分に特定の情報の全部を表示することによって表示される文字の大きさが、予め定められた基準よりも小さくなるか否かを判定する。
【００４３】
次に、特定の情報の秘密性に基づく処理について説明する。
例えば、表示制御部１１３は、特定の情報に秘密情報が含まれるか否かにより、特定の情報を自装置表示領域及び携帯端末表示領域の少なくとも何れか一方に表示する。秘密情報とは、秘密性のある情報であり、例えば、パスワードや、操作者の電話番号や住所、クレジットカードの番号等の個人情報、操作者の課金情報等である。
【００４４】
より具体的には、表示制御部１１３は、特定の情報に秘密情報が含まれる場合、画像処理装置１００にて予め定められたセキュリティ設定がされているか否か（即ち、予め定められたセキュリティ設定が有効か否か）を判定する。画像処理装置１００にて予め定められたセキュリティ設定がされている場合、表示制御部１１３は、特定の情報を携帯端末表示領域に表示する。この場合、秘密情報の代わりに黒丸やアスタリスクを表示して、秘密情報の内容自体は携帯端末表示領域に表示しないこととしてもよい。一方、画像処理装置１００にて予め定められたセキュリティ設定がされていない場合、表示制御部１１３は、特定の情報を自装置表示領域に表示する。また、画像処理装置１００にて予め定められたセキュリティ設定がされていない場合、表示制御部１１３は、画像処理装置１００にて予め定められたセキュリティ設定がされるように、セキュリティ設定に関する情報を自装置表示領域（又は、携帯端末表示領域）に表示してもよい。
【００４５】
セキュリティ設定に関する情報とは、例えば、セキュリティ設定の設定方法の説明や、セキュリティ設定をすることを推奨するメッセージ、セキュリティ設定がされてないことを警告するメッセージ等である。
また、予め定められたセキュリティ設定とは、例えば、データを暗号化して送受信するための設定である。具体的には、例えば、ＳＳＬ（Secure Socket Layer）の設定や、ＴＬＳ（Transport Layer Security）の設定が例示される。画像処理装置１００にてこのようなセキュリティ設定をすることにより、画像処理装置１００と携帯端末２００との間で秘密情報のやり取りをする際に、秘密情報が暗号化された状態でやり取りされるようになる。
【００４６】
さらに、特定の情報に秘密情報が含まれない場合であっても、特定の情報が表示されることにより、操作者が秘密情報を入力する場合もある。例えば、特定の情報が秘密情報の入力を受け付ける画面の情報である場合には、操作者は、表示された画面上で秘密情報を入力可能である。そこで、表示制御部１１３は、特定の情報が秘密情報の入力を受け付けるための情報である場合にも、画像処理装置１００にて予め定められたセキュリティ設定がされているか否かを判定してもよい。そして、上述したように、画像処理装置１００にて予め定められたセキュリティ設定がされている場合には、表示制御部１１３は、特定の情報（例えば、秘密情報の入力を受け付ける画面）を携帯端末表示領域に表示する。特定の情報が携帯端末表示領域に表示されることにより、操作者が画面上で秘密情報を入力し、入力された秘密情報が携帯端末２００から画像処理装置１００へ送られることになる。なお、その時点での秘密情報の設定内容を画像処理装置１００から携帯端末２００へ送信してもよいし、送信しなくてもよい。また、携帯端末表示領域にて秘密情報を表示する場合には、秘密情報の代わりに黒丸やアスタリスクを表示して、秘密情報の内容自体は携帯端末表示領域に表示しないこととしてもよい。一方、画像処理装置１００にて予め定められたセキュリティ設定がされていない場合、表示制御部１１３は、特定の情報を自装置表示領域に表示する。また、セキュリティ設定に関する情報を自装置表示領域（又は、携帯端末表示領域）に表示してもよい。
【００４７】
このように、表示制御部１１３は、特定の情報が表示されることによって秘密情報が表示される可能性があるか否か（即ち、特定の情報に秘密情報が含まれるか否か、又は、特定の情報が秘密情報の入力を受け付けるための情報であるか否か）によって、特定の情報を自装置表示領域及び携帯端末表示領域の少なくとも何れか一方に表示する。
なお、表示制御部１１３は、特定の情報が表示されることによって秘密情報が表示される可能性のある場合であっても、画像処理装置１００にて予め定められたセキュリティ設定がされているか否かにかかわらず、特定の情報を携帯端末表示領域に表示したり、自装置表示領域に表示したりしてもよい。
さらに、表示制御部１１３は、画像処理装置１００の動作形態（即ち、動作モード）により、操作者が画像処理装置１００に秘密情報を入力する必要のある場合には、特定の情報を自装置表示領域に表示することとしてもよい。
【００４８】
また、表示制御部１１３は、特定の情報が表示されることによって秘密情報が表示される可能性のある場合に、自装置表示領域に表示される特定の情報の表示態様と、携帯端末表示領域に表示される特定の情報の表示態様とを変えてもよい。例えば、表示制御部１１３は、秘密情報を自装置表示領域に表示して、残りの情報を携帯端末表示領域に表示する。また、表示制御部１１３は、秘密情報を携帯端末表示領域に表示して、残りの情報を自装置表示領域に表示する。
【００４９】
次に、特定の情報による操作の必要性に基づく処理について説明する。
例えば、表示制御部１１３は、特定の情報が表示されることによって操作者の操作が必要であるか否かにより、特定の情報を自装置表示領域及び携帯端末表示領域の少なくとも何れか一方に表示する。また、操作の必要性に応じて、自装置表示領域に表示される特定の情報の表示態様と、携帯端末表示領域に表示される特定の情報の表示態様とを変えてもよい。
より具体的には、例えば、表示制御部１１３は、特定の情報に操作者の操作が必要な項目が含まれる場合、特定の情報を携帯端末表示領域に表示する。また、例えば、表示制御部１１３は、特定の情報に操作者の操作が必要な項目が含まれる場合、操作者の操作が必要な項目を携帯端末表示領域に表示する一方で、残りの情報を自装置表示領域に表示する。
【００５０】
（通信状況に基づく処理）
表示制御部１１３は、画像処理装置１００と携帯端末２００との間の通信状況に応じて、特定の情報を自装置表示領域及び携帯端末表示領域の少なくとも何れか一方に表示する。また、通信状況に応じて、自装置表示領域に表示される特定の情報の表示態様と、携帯端末表示領域に表示される特定の情報の表示態様とを変えてもよい。
【００５１】
より具体的には、例えば、表示制御部１１３は、携帯端末２００と画像処理装置１００との間の通信状況が予め定められた基準を満たさない場合、特定の情報を自装置表示領域に表示する。また、表示制御部１１３は、携帯端末２００と画像処理装置１００との間の通信状況が予め定められた基準を満たす場合、特定の情報を携帯端末表示領域に表示する。
予め定められた基準とは、例えば、携帯端末２００と画像処理装置１００との間の通信速度が閾値以上であること、一定量のデータを送受信する場合に要する時間が閾値以内であること、画像処理装置１００との間でやり取りをしている外部の装置の数が閾値以内であること等である。
【００５２】
ここで、携帯端末表示領域の大きさに基づく処理と同様に、特定の情報を自装置表示領域に表示する場合には、特定の情報の一部に関する情報を携帯端末表示領域に表示する一方で、当該一部に関する情報よりも情報量の多い情報を自装置表示領域に表示してもよい。また、特定の情報を携帯端末表示領域に表示する場合には、特定の情報の一部に関する情報を自装置表示領域に表示する一方で、当該一部に関する情報よりも情報量の多い情報を、携帯端末表示領域に表示してもよい。
【００５３】
また、上述した表示制御の処理を２つ以上組み合わせてもよい。
携帯端末表示領域の大きさに基づく処理と、特定の情報の情報量に基づく処理とを組み合わせる場合、例えば、表示制御部１１３は、携帯端末表示領域が自装置表示領域よりも小さい場合、又は、特定の情報の情報量が予め定められた基準よりも多い場合の少なくとも何れか一方の場合、特定の情報を自装置表示領域に表示する。また、例えば、携帯端末表示領域が自装置表示領域よりも大きい場合、且つ、特定の情報の情報量が予め定められた基準よりも少ない場合、特定の情報を携帯端末表示領域に表示する。
【００５４】
また、携帯端末表示領域の大きさに基づく処理と、特定の情報の秘密性に基づく処理とを組み合わせる場合、例えば、表示制御部１１３は、特定の情報が表示されることによって秘密情報が表示される可能性があるか否か、画像処理装置１００にて予め定められたセキュリティ設定がされているか否かを判定する。この判定により、特定の情報を自装置表示領域に表示すると判断された場合には、特定の情報は自装置表示領域に表示される。一方、特定の情報を携帯端末表示領域に表示すると判断された場合に、さらに、携帯端末表示領域の大きさを考慮して、特定の情報をどの表示領域に表示するかの判断が行われる。
【００５５】
＜表示制御部による表示制御の処理手順＞
次に、自装置に格納される特定の情報の表示要求を受け付けた場合の表示制御部１１３による表示制御の処理の手順について説明する。以下の例では、携帯端末表示領域の大きさに基づく処理の手順、特定の情報の情報量に基づく処理の手順、特定の情報の秘密性に基づく処理の手順について説明する。
なお、以下では、処理のステップを記号の「Ｓ」と表記する場合がある。
【００５６】
（携帯端末表示領域の大きさに基づく処理の手順）
まず、携帯端末表示領域の大きさに応じて特定の情報を表示する場合の処理の手順について説明する。図５及び図６は、携帯端末表示領域の大きさに応じて特定の情報を表示する場合の処理の手順の一例を示すフローチャートである。
【００５７】
図５に示す処理手順について説明する。
表示要求受付部１１１は、特定の情報の表示要求を受け付けたか否かを判定する（Ｓ１０１）。Ｓ１０１で否定の判断（ＮＯ）がされた場合、本処理フローは終了する。一方、Ｓ１０１で肯定の判断（ＹＥＳ）がされた場合、表示領域情報取得部１１２は、携帯端末２００から、携帯端末表示領域の大きさを取得する（Ｓ１０２）。次に、表示制御部１１３は、携帯端末表示領域が予め定められた基準より小さいか否かを判定する（Ｓ１０３）。
【００５８】
Ｓ１０３で肯定の判断（ＹＥＳ）がされた場合、表示制御部１１３は、表示要求に応じた特定の情報を、自装置表示領域に表示する（Ｓ１０４）。ここで、表示制御部１１３は、特定の情報の一部に関する情報を携帯端末表示領域に表示する一方で、特定の情報のうち当該一部よりも多くの情報を、自装置表示領域に表示してもよい。そして、本処理フローは終了する。
また、Ｓ１０３で否定の判断（ＮＯ）がされた場合、表示制御部１１３は、表示要求に応じた特定の情報を、携帯端末表示領域に表示する（Ｓ１０５）。ここで、表示制御部１１３は、特定の情報の一部に関する情報を自装置表示領域に表示する一方で、特定の情報のうち当該一部よりも多くの情報を、携帯端末表示領域に表示してもよい。そして、本処理フローは終了する。
【００５９】
次に、図６に示す処理手順について説明する。
Ｓ２０１及びＳ２０２の処理は、図５のＳ１０１及びＳ１０２の処理と同じであるため、ここでは説明を省略する。
Ｓ２０２の後、表示制御部１１３は、携帯端末表示領域と自装置表示領域とを比較して、携帯端末表示領域が自装置表示領域よりも小さいか否かを判定する（Ｓ２０３）。
Ｓ２０３で肯定の判断（ＹＥＳ）がされた場合のＳ２０４の処理は、図５のＳ１０４の処理と同じであるため、ここでは説明を省略する。また、Ｓ２０３で否定の判断（ＮＯ）がされた場合のＳ２０５の処理は、図５のＳ１０５の処理と同じであるため、ここでは説明を省略する。
【００６０】
（特定の情報の情報量に基づく処理の手順）
次に、特定の情報の情報量と携帯端末表示領域の大きさとに応じて特定の情報を表示する場合の処理の手順について説明する。図７〜図９は、特定の情報の情報量と携帯端末表示領域の大きさとに応じて特定の情報を表示する場合の処理の手順の一例を示すフローチャートである。
【００６１】
Ｓ３０１及びＳ３０２の処理は、図５のＳ１０１及びＳ１０２の処理と同じであるため、ここでは説明を省略する。
Ｓ３０２の後、表示制御部１１３は、表示要求に応じた特定の情報の情報量を取得する（Ｓ３０３）。
【００６２】
次に、表示制御部１１３は、特定の情報の情報量が、携帯端末表示領域の大きさに対応する情報量よりも多いか否かを判定する（Ｓ３０４）。ここでは、表示領域の大きさと情報量とが予め対応付けられている。例えば、表示領域が５インチの場合には１００キロバイト、表示領域が６インチの場合には２００キロバイト、というように、表示領域と情報のデータ量とが予め対応付けられている。また、例えば、表示領域が５インチの場合には５ページ、表示領域が６インチの場合には１０ページ、というように、表示領域と文書のページ数とが予め対応付けられている。そして、表示制御部１１３は、携帯端末表示領域の大きさに対応する情報量を取得し、特定の情報の情報量と取得した情報量とを比較する。
【００６３】
Ｓ３０４で肯定の判断（ＹＥＳ）がされた場合のＳ３０５の処理は、図５のＳ１０４の処理と同じであるため、ここでは説明を省略する。また、Ｓ３０４で否定の判断（ＮＯ）がされた場合のＳ３０６の処理は、図５のＳ１０５の処理と同じであるため、ここでは説明を省略する。
【００６４】
次に、図８に示す処理手順について説明する。
Ｓ４０１及びＳ４０２の処理は、図５のＳ１０１及びＳ１０２の処理と同じであるため、ここでは説明を省略する。
Ｓ４０２の後、表示制御部１１３は、表示要求に応じた特定の情報の情報量を取得する（Ｓ４０３）。
【００６５】
次に、表示制御部１１３は、特定の情報の情報量が、携帯端末表示領域に表示可能な情報量を超えているか否かを判定する（Ｓ４０４）。ここで、表示制御部１１３は、特定の情報を携帯端末表示領域に表示する場合に、特定の情報の全部が携帯端末表示領域に収まるか否かを判定する。例えば、特定の情報の全部が携帯端末表示領域に収まらず、特定の情報の全部を確認するために画面のスクロール等の操作者の操作が必要な場合には、Ｓ４０４において肯定の判断（ＹＥＳ）がされる。
【００６６】
Ｓ４０４で肯定の判断（ＹＥＳ）がされた場合、表示制御部１１３は、特定の情報の一部に関する情報を携帯端末表示領域に表示し、当該一部に関する情報よりも情報量の多い情報を自装置表示領域に表示する（Ｓ４０５）。ここでは、一部に関する情報として、携帯端末表示領域に表示可能な情報量の情報が携帯端末表示領域に表示される。そして、本処理フローは終了する。
一方、Ｓ４０４で否定の判断（ＮＯ）がされた場合、表示制御部１１３は、特定の情報の全部を携帯端末表示領域に表示する（Ｓ４０６）。そして、本処理フローは終了する。
【００６７】
次に、図９に示す処理手順について説明する。
Ｓ５０１及びＳ５０２の処理は、図５のＳ１０１及びＳ１０２の処理と同じであるため、ここでは説明を省略する。
次に、表示制御部１１３は、表示要求に応じた特定の情報の全部を携帯端末表示領域に表示する際の文字の大きさが、予め定められた基準よりも小さくなるか否かを判定する（Ｓ５０３）。
【００６８】
Ｓ５０３で肯定の判断（ＹＥＳ）がされた場合、表示制御部１１３は、特定の情報の一部に関する情報を携帯端末表示領域に表示し、当該一部に関する情報よりも情報量の多い情報を自装置表示領域に表示する（Ｓ５０４）。ここでは、携帯端末表示領域に表示される文字が予め定められた基準よりも小さくならないように、特定の情報一部に関する情報が携帯端末表示領域に表示される。そして、本処理フローは終了する。
一方、Ｓ５０３で否定の判断（ＮＯ）がされた場合、表示制御部１１３は、特定の情報の全部を携帯端末表示領域に表示する（Ｓ５０５）。そして、本処理フローは終了する。
【００６９】
（特定の情報の秘密性に基づく処理の手順）
次に、特定の情報の秘密性に応じて特定の情報を表示する場合の処理の手順について説明する。図１０は、特定の情報の秘密性に応じて特定の情報を表示する場合の処理の手順の一例を示すフローチャートである。
【００７０】
表示要求受付部１１１は、特定の情報の表示要求を受け付けたか否かを判定する（Ｓ６０１）。Ｓ６０１で否定の判断（ＮＯ）がされた場合、本処理フローは終了する。一方、Ｓ６０１で肯定の判断（ＹＥＳ）がされた場合、表示制御部１１３は、特定の情報が表示されることにより秘密情報が表示される可能性があるか否かを判定する（Ｓ６０２）。例えば、特定の情報がパスワードを含む場合、Ｓ６０２で肯定の判断（ＹＥＳ）がされる。また、例えば、特定の情報がパスワードの入力を受け付ける画面の情報である場合、Ｓ６０２で肯定の判断（ＹＥＳ）がされる。
【００７１】
Ｓ６０２で否定の判断（ＮＯ）がされた場合、表示制御部１１３は、表示要求に応じた特定の情報を、携帯端末表示領域に表示する（Ｓ６０３）。そして、本処理フローは終了する。
一方、Ｓ６０２で肯定の判断（ＹＥＳ）がされた場合、表示制御部１１３は、画像処理装置１００において、予め定められたセキュリティ設定がされているか否かを判定する（Ｓ６０４）。
【００７２】
Ｓ６０４で肯定の判断（ＹＥＳ）がされた場合、Ｓ６０３に移行する。
Ｓ６０４で否定の判断（ＮＯ）がされた場合、表示制御部１１３は、画像処理装置１００において、予め定められたセキュリティ設定が可能な状況であるか否かを判定する（Ｓ６０５）。例えば、操作者が携帯端末２００又は画像処理装置１００を操作することによって、画像処理装置１００におけるセキュリティ設定を設定可能な場合には、Ｓ６０５で肯定の判断（ＹＥＳ）がされる。一方、例えば、セキュリティ設定の設定権限が設けられており、設定権限を有する者（例えば、画像処理装置１００の管理者）であることを示すＩＤやパスワードの入力が一定時間内にない場合には、Ｓ６０５で否定の判断（ＮＯ）がされる。
【００７３】
Ｓ６０５で肯定の判断（ＹＥＳ）がされた場合、表示制御部１１３は、セキュリティ設定の設定方法の説明を自装置表示領域に表示する（Ｓ６０６）。次に、表示制御部１１３は、画像処理装置１００において、予め定められたセキュリティ設定がされたか否かを判定する（Ｓ６０７）。Ｓ６０７で肯定の判断（ＹＥＳ）がされた場合、Ｓ６０３に移行する。一方、Ｓ６０７で否定の判断（ＮＯ）がされた場合、表示制御部１１３は、表示要求に応じた特定の情報を自装置表示領域に表示する（Ｓ６０８）。そして、本処理フローは終了する。
【００７４】
また、Ｓ６０５で否定の判断（ＮＯ）がされた場合、表示制御部１１３は、秘密情報を一時的に携帯端末表示領域に表示してよいか否かの選択を受け付けるメッセージを、自装置表示領域に表示する（Ｓ６０９）。次に、表示制御部１１３は、秘密情報を携帯端末表示領域に表示してよい旨の選択がされたか否かを判定する（Ｓ６１０）。Ｓ６１０で肯定の判断（ＹＥＳ）がされた場合、Ｓ６０３に移行する。一方、Ｓ６１０で否定の判断（ＮＯ）がされた場合、Ｓ６０８に移行する。
【００７５】
なお、Ｓ６０６において、表示制御部１１３は、セキュリティ設定の設定方法の説明を、自装置表示領域ではなく、携帯端末表示領域に表示してもよい。例えば、携帯端末２００からの操作により画像処理装置１００のセキュリティ設定が可能な場合には、セキュリティ設定の設定方法の説明は自装置表示領域に表示される。一方、例えば、携帯端末２００からの操作により画像処理装置１００のセキュリティ設定が不可の場合には、セキュリティ設定の設定方法の説明は携帯端末表示領域に表示される。なお、セキュリティ設定の設定方法の説明を、自装置表示領域と携帯端末表示領域の両方に表示してもよい。
【００７６】
また、Ｓ６０９において、表示制御部１１３は、メッセージを携帯端末表示領域に表示してもよい。
さらに、Ｓ６０９において、表示制御部１１３は、画像処理装置１００の管理者等に対して、秘密情報を一時的に携帯端末表示領域に表示する了解を得るための通知を行ってもよい。この場合、Ｓ６１０において、表示制御部１１３は、管理者等の了解を得たか否かを判定する。
【００７７】
次に、図５〜図１０に示す処理を組み合わせた場合について説明する。
例えば、図６及び図７の処理を組み合わせる場合、Ｓ２０３及びＳ３０４のうちの少なくとも何れか一方で肯定の判断（ＹＥＳ）がされた場合に、特定の情報を自装置表示領域に表示し、Ｓ２０３及びＳ３０４の両方で否定の判断（ＮＯ）がされた場合に、特定の情報を携帯端末表示領域に表示する。また、例えば、Ｓ２０３及びＳ３０４の両方で肯定の判断（ＹＥＳ）がされた場合に、特定の情報を自装置表示領域に表示し、Ｓ２０３及びＳ３０４の少なくとも何れか一方で否定の判断（ＮＯ）がされた場合に、特定の情報を携帯端末表示領域に表示してもよい。
【００７８】
また、図１０の処理と図５〜図９の処理とを組み合わせる場合、図１０のＳ６０３の処理の代わりに、表示制御部１１３は、図５〜図９の処理手順に従って、特定の情報を携帯端末表示領域又は自端末表示領域の少なくとも何れか一方に表示する。付言すると、Ｓ６０３では、セキュリティ上、特定の情報を携帯端末表示領域に表示してもよい状態にある。そこで、特定の情報をどの表示領域に表示するかについて、さらに、携帯端末表示領域の大きさや特定の情報の情報量等に応じて決定する。
【００７９】
＜表示制御部による表示制御の具体例＞
次に、表示制御部１１３による表示制御について、具体例を挙げて説明する。図１１及び図１２は、表示制御部１１３による表示制御の手順の一例を示したシーケンスチャートである。また、図１３〜図１５は、表示制御部１１３の表示制御により、携帯端末表示領域又は自装置表示領域に表示される画面の一例を示す図である。
なお、この例は、操作者が画像読取部１０５によって文書のスキャン、及び宛先リストの表示要求を行う例である。
【００８０】
まず、操作者は、携帯端末２００において、画像処理装置１００でスキャンを実行するための事前の設定を行う（Ｓ７０１）。ここで、操作者は、携帯端末２００において、画像読取部１０５でスキャンを実行し、生成された画像データを画像処理装置１００にて蓄積した後、蓄積した画像データを他装置へ転送する設定を行う。
【００８１】
次に、操作者は、画像読取部１０５に原稿をセットしたり、ＮＦＣにより携帯端末２００と画像処理装置１００との間で通信を行ったりするために、画像処理装置１００に近付く（Ｓ７０２）。そして、操作者の操作により、携帯端末２００は、Ｓ７０１の事前の設定に基づいてスキャンを実行するように、画像処理装置１００に対して要求する（Ｓ７０３）。例えば、図１３（Ａ）に示す画面において、操作者が「スタート」ボタン１１を選択することにより、携帯端末２００は、画像処理装置１００に対して原稿をスキャンするように要求する。その際、操作者は、記憶装置１０９内の領域を示すボックスの指定を行う。例えば、ボックス番号「００１」の「鈴木」のボックスを指定することにより、スキャンによって生成された画像データがこのボックスに格納される。
【００８２】
次に、画像読取部１０５は、セットされた原稿のスキャンを実行し、画像データを生成する。そして、生成した画像データを記憶装置１０９に蓄積する（Ｓ７０４）。ここで、図１３（Ｂ）に示すように、自装置表示領域には、記憶装置１０９内のボックスの一覧が表示される。なお、図１３（Ｂ）に示す画面は、携帯端末表示領域の大きさによらずに、自装置表示領域に表示される画面である。
【００８３】
次に、操作者の操作により、携帯端末２００は、画像処理装置１００に対して、記憶装置１０９内のボックスに蓄積された画像の確認要求を行う（Ｓ７０５）。ここで、操作者は、スキャンにより生成された画像データが蓄積されたボックス（この例では、ボックス番号「００１」の「鈴木」のボックス）を指定して、このボックスに蓄積された文書の確認要求を行う。また、携帯端末２００は、携帯端末表示領域の大きさを示す情報を画像処理装置１００に送信する（Ｓ７０６）。
【００８４】
次に、画像処理装置１００の表示要求受付部１１１は、ボックスに蓄積された文書の確認要求を受け付ける。また、表示領域情報取得部１１２は、携帯端末表示領域の大きさを取得する。そして、表示制御部１１３は、携帯端末表示領域と自装置表示領域とを比較して、携帯端末表示領域が自装置表示領域よりも小さいか否かを判定する。この例では、表示制御部１１３は、携帯端末表示領域が自装置表示領域よりも小さいと判断する（Ｓ７０７）。また、表示制御部１１３は、確認要求の対象とされたボックスに蓄積されている文書の件数が、携帯端末表示領域の大きさに対応する件数を超えているか否かを判定する。この例では、表示制御部１１３は、「鈴木」のボックスの蓄積文書の件数が多く、携帯端末表示領域の大きさに対応する件数を超えていると判断する（Ｓ７０８）。
【００８５】
そして、携帯端末表示領域が自装置表示領域よりも小さく、且つ、ボックスに蓄積されている文書の件数が携帯端末表示領域の大きさに対応する件数を超えているため、表示制御部１１３は、ボックスに蓄積されている文書の一覧を自装置表示領域に表示する（Ｓ７０９）。ここでは、図１３（Ｃ）に示す画面が、自装置表示領域に表示される。図１３（Ｃ）に示す例では、ボックス番号「００１」の「鈴木」のボックスに格納されている文書の一覧が表示されている。
【００８６】
なお、Ｓ７０７の処理は、図６のＳ２０３の処理である。また、Ｓ７０８の処理は、図７のＳ３０４の処理である。この例では、ボックスに蓄積されている文書の一覧が、特定の情報に該当する。また、ボックスに蓄積されている文書の件数が、特定の情報の情報量に該当する。
【００８７】
次に、操作者が一覧の中から文書を選択すると、選択された文書の情報が表示される。ここで、操作者は、例えば、自装置表示領域を操作して文書を選択したり、携帯端末２００にて文書を選択する操作を行ったりする。そして、表示要求受付部１１１は、選択された文書の表示要求を受け付ける。また、表示制御部１１３は、選択された文書のデータ量が、携帯端末表示領域の大きさに対応するデータ量よりも大きいか否かを判定する。この例では、表示制御部１１３は、文書のデータ量が携帯端末表示領域の大きさに対応するデータ量よりも大きいと判断する（Ｓ７１０）。
【００８８】
そして、携帯端末表示領域が自装置表示領域よりも小さく、且つ、文書のデータ量が携帯端末表示領域の大きさに対応するデータ量よりも大きいため、表示制御部１１３は、選択された文書の情報を自装置表示領域に表示する（Ｓ７１１）。ここでは、図１４（Ａ）に示す画面が自装置表示領域に表示される。図１４（Ａ）に示す例では、操作者が選択した文書（文書番号：１００１）の画像が表示されており、操作者は、画面上で、表示するページの変更や文書名の変更、プリント実行等の操作が可能である。
【００８９】
なお、Ｓ７１０の処理は、図７のＳ３０４の処理である。この例では、操作者が選択した文書が、特定の情報に該当する。また、操作者が選択した文書のデータ量が、特定の情報の情報量に該当する。
【００９０】
また、表示制御部１１３は、携帯端末表示領域にも、操作者が選択した文書の情報を表示してもよい。この場合、表示制御部１１３は、携帯端末表示領域に表示する画面の情報を携帯端末２００に送信し、携帯端末表示領域に画面を表示させる（Ｓ７１２）。そして、携帯端末２００は、携帯端末表示領域に画面を表示する（Ｓ７１３）。
付言すると、自装置表示領域には、操作者が選択した文書の情報が表示される。一方、携帯端末表示領域には、操作者が選択した文書の情報の一部に関する情報が表示される。言い換えると、表示制御部１１３は、操作者が選択した文書の情報の一部に関する情報を携帯端末表示領域に表示する一方で、文書の情報のうち当該一部よりも多くの情報を、自装置表示領域に表示する。
図１４（Ｂ）に示す画面は、携帯端末表示領域に表示される画面である。この例では、操作者が選択した文書（文書番号：１００１）の画像が表示されるが、自装置表示領域に表示される画像よりもデータ量を減らして画質を落とした画像や、自装置表示領域に表示される文書の一部を示す画像などが表示される。
【００９１】
ここで、携帯端末表示領域において、画像の調整機能を設けてもよい。例えば、携帯端末表示領域の画面上で、画像の濃度や色合い、コントラスト等のパラメータを調整するボタンが設けられる。操作者がこれらのボタンを押下して画像の調整を行うと、携帯端末２００と画像処理装置１００とが連動して、調整の内容が自装置表示領域の画像に反映される。即ち、操作者による画像の調整に合わせて、調整後の画像が自装置表示領域に表示される。
【００９２】
次に、操作者の操作により、携帯端末２００は、画像処理装置１００に対して宛先リストの表示要求を行う（Ｓ７１４）。そして、画像処理装置１００の表示要求受付部１１１は、携帯端末２００からの表示要求を受け付ける。次に、表示制御部１１３は、宛先リストに含まれる宛先の件数が、携帯端末表示領域の大きさに対応する件数を超えているか否かを判定する。この例では、表示制御部１１３は、宛先リストに含まれる宛先の件数が多く、携帯端末表示領域の大きさに対応する件数を超えていると判断する（Ｓ７１５）。
【００９３】
そして、携帯端末表示領域が自装置表示領域よりも小さく、且つ、宛先リストに含まれる宛先の件数が携帯端末表示領域の大きさに対応する件数を超えているため、表示制御部１１３は、宛先リストを自装置表示領域に表示する（Ｓ７１６）。ここでは、図１５（Ａ）に示す画面が自装置表示領域に表示される。図１５（Ａ）に示す例では、宛先リストに含まれる宛先の一覧が、短縮番号「０００１」の宛先１から順番に表示される。
【００９４】
なお、Ｓ７１３の処理は、図７のＳ３０４の処理である。この例では、宛先リストが特定の情報に該当する。そして、宛先リストに含まれる宛先の件数が、特定の情報の情報量に該当する。
【００９５】
また、表示制御部１１３は、携帯端末表示領域にも、宛先リストの情報を表示してもよい。この場合、表示制御部１１３は、携帯端末表示領域に表示する画面の情報を携帯端末２００に送信し、携帯端末表示領域に画面を表示させる（Ｓ７１７）。そして、携帯端末２００は、携帯端末表示領域に画面を表示する（Ｓ７１８）。
付言すると、自装置表示領域には、宛先リストに含まれる宛先が一覧で表示される。一方、携帯端末表示領域には、宛先リストの一部に関する情報が表示される。言い換えると、表示制御部１１３は、宛先リストに含まれる全ての宛先のうちの一部の宛先に関する情報を携帯端末表示領域に表示する一方で、宛先リストのうち当該一部よりも多くの宛先に関する情報を、自装置表示領域に表示する。
図１５（Ｂ）に示す画面は、携帯端末表示領域に表示される画面である。この例では、宛先リストの一部の宛先として、短縮番号「０００１」の宛先に関する情報が表示される。ここで表示される宛先は、例えば、操作者が自装置表示領域上で選択したり、操作者が携帯端末２００を操作して選択したりした宛先である。また、宛先リストの最初の宛先（この例では、短縮番号が最も小さい宛先）を表示したり、過去に選択された宛先を表示したりしてもよい。
【００９６】
次に、操作者が、携帯端末表示領域に表示された宛先の情報を確認して、宛先の編集を行うと、携帯端末２００は、編集内容を宛先リストに反映させるために、編集後の宛先の情報を画像処理装置１００に送信する（Ｓ７１９）。ここで、表示制御部１１３は、編集後の宛先の情報が記憶装置１０９に記憶され、宛先リストへの反映が行われている間、画像処理装置１００に対して外部の機器から作業が行われている旨を示す情報を自装置表示領域に表示する（Ｓ７２０）。ここでは、図１５（Ｃ）に示す画面が自装置表示領域に表示される。図１５（Ｃ）に示す例では、外部機器からの作業中のため、画像処理装置１００の電源を切らないように警告するメッセージが表示される。
【００９７】
（表示制御部による表示制御の他の例）
次に、表示制御部１１３による表示制御について、他の例を挙げて説明する。図１６は、表示制御部１１３による表示制御の手順の他の例を示したシーケンスチャートである。また、図１７は、表示制御部１１３の表示制御により、携帯端末表示領域又は自装置表示領域に表示される画面の他の例を示す図である。
なお、この例は、操作者が表示要求を行った宛先リストにおいて、秘密情報であるパスワードの入力や編集が可能な例である。
【００９８】
まず、操作者の操作により、携帯端末２００は、画像処理装置１００に対して宛先リストの表示要求を行う（Ｓ８０１）。そして、画像処理装置１００の表示要求受付部１１１は、携帯端末２００からの表示要求を受け付ける。次に、表示制御部１１３は、宛先リストが表示されることによって秘密情報が表示される可能性があるか否かを判定する。ここで、宛先リストでは、パスワードの入力や編集が可能である。よって、表示制御部１１３は、宛先リストよって秘密情報が表示されると判断する（Ｓ８０２）。
【００９９】
次に、表示制御部１１３は、画像処理装置１００において、予め定められたセキュリティ設定がされているか否かを判定する。この例では、表示制御部１１３は、予め定められたセキュリティ設定はされていないと判断する（Ｓ８０３）。ただし、画像処理装置１００は、セキュリティ設定が可能な状況にある。そこで、表示制御部１１３は、予め定められたセキュリティ設定の設定方法の説明を自装置表示領域に表示する（Ｓ８０４）。図１７（Ａ）に示す画面は、ＳＳＬの設定方法の説明を示した画面である。この例では、ＳＳＬ／ＴＬＳ設定を有効にすることを推奨するメッセージ、ＳＳＬ／ＴＬＳ設定の設定方法の説明が表示される。
【０１００】
次に、操作者の操作により、携帯端末２００は、画像処理装置１００に対して、予め定められたセキュリティ設定を実行する（Ｓ８０５）。画像処理装置１００は、予め定められたセキュリティ設定がされると、設定を反映させるために再起動する（Ｓ８０６）。画像処理装置１００が再起動すると、予め定められたセキュリティ設定が有効になり、セキュリティ上、携帯端末表示領域にパスワードを表示してもよい状態になる。そして、操作者の操作により、携帯端末２００は、再度、画像処理装置１００に対して宛先リストの表示要求を行う（Ｓ８０７）。また、携帯端末２００は、携帯端末表示領域の大きさを示す情報を画像処理装置１００に送信する（Ｓ８０８）。
【０１０１】
次に、画像処理装置１００の表示要求受付部１１１は、宛先リストの表示要求を受け付ける。また、表示領域情報取得部１１２は、携帯端末表示領域の大きさを取得する。そして、表示制御部１１３は、携帯端末表示領域と自装置表示領域とを比較して、携帯端末表示領域が自装置表示領域よりも小さいか否かを判定する。この例では、表示制御部１１３は、携帯端末表示領域が自装置表示領域よりも小さいと判断する（Ｓ８０９）。また、表示制御部１１３は、宛先リストに含まれる宛先の件数が、携帯端末表示領域の大きさに対応する件数を超えているか否かを判定する。この例では、表示制御部１１３は、宛先リストに含まれる宛先の件数が多く、携帯端末表示領域の大きさに対応する件数を超えていると判断する（Ｓ８１０）。
【０１０２】
そして、携帯端末表示領域が自装置表示領域よりも小さく、且つ、宛先リストに含まれる宛先の件数が携帯端末表示領域の大きさに対応する件数を超えているため、表示制御部１１３は、宛先リストを自装置表示領域に表示する（Ｓ８１１）。ここでは、図１５（Ａ）に示す画面が自装置表示領域に表示される。
【０１０３】
また、画像処理装置１００においてセキュリティ設定がされたため、セキュリティ上、携帯端末表示領域にパスワードを表示してもよい。そこで、表示制御部１１３は、携帯端末表示領域に表示する画面の情報を携帯端末２００に送信し、携帯端末表示領域に画面を表示させる（Ｓ８１２）。なお、表示制御部１１３は、携帯端末２００に対して、パスワード等の秘密情報の編集を携帯端末２００において実行可能である旨を通知してもよい。そして、携帯端末２００は、携帯端末表示領域に画面を表示する（Ｓ８１３）。図１７（Ｂ）に示す画面は、携帯端末表示領域に表示される画面である。この例では、宛先リストの一部の宛先として、短縮番号「０００１」の宛先に関する情報が表示される。そして、表示された画面上で、パスワードの入力や編集が可能である。
【０１０４】
なお、本実施の形態では、自装置表示領域に表示する画面に、画像処理装置１００との間で情報のやり取りを行っている携帯端末２００の情報を表示してもよい。例えば、図１３（Ｃ）に示す画面において、携帯端末２００を識別するための識別情報や、携帯端末２００を操作している操作者のユーザ名等を表示してもよい。
【０１０５】
また、本実施の形態では、携帯端末２００が画像処理装置１００の予め定められた範囲から離れる場合に、自装置表示領域に表示されている情報について、非表示にするか、携帯端末表示領域等の他の表示領域に表示するかなどの判断を操作者が行ってもよい。例えば、表示制御部１１３は、自装置表示領域に表示されている情報を非表示にするか、他の表示領域に表示するかの選択を受け付ける画面を、自装置表示領域や携帯端末表示領域に表示する。そして、表示制御部１１３は、操作者の選択に応じて、自装置表示領域に表示されている情報を、非表示にしたり、携帯端末表示領域や操作者に関連付けられた他の装置の表示領域に表示したりする。さらに、表示制御部１１３は、携帯端末２００が画像処理装置１００の予め定められた範囲から離れる場合に、操作者の選択によらず、自装置表示領域に表示されている情報を、非表示にしたり、携帯端末表示領域や操作者に関連付けられた他の装置の表示領域に表示したりしてもよい。
【０１０６】
また、本実施の形態では、表示制御部１１３が、携帯端末表示領域の大きさ、特定の情報の情報量、特定の情報の性質等を基に、特定の情報をどの表示領域に表示するかを判断したが、このような判断を操作者が行ってもよい。例えば、表示制御部１１３は、特定の情報を表示する場合に、特定の情報をどの表示領域（例えば、携帯端末表示領域のみ、自装置表示領域のみ、携帯端末表示領域及び自装置表示領域の両方）に表示するかの選択を受け付ける画面を、携帯端末表示領域や自装置表示領域に表示する。そして、表示制御部１１３は、操作者が選択した表示領域に対して、特定の情報を表示する。ここで、特定の情報の性質に応じて、操作者の選択を不可とする表示領域を設定してもよい。例えば、特定の情報に秘密情報が含まれる場合、画像処理装置１００にて予め定められたセキュリティ設定がされていなければ、ユーザが特定の情報を携帯端末表示領域に表示することを選択したとしても、特定の情報は携帯端末表示領域に表示されず、自装置表示領域に表示される。
【０１０７】
なお、本実施の形態では、表示制御部１１３が特定の情報を表示する場合、特定の情報を表示する表示領域を決定する前に、画面が予め作成されていてもよいし、特定の情報を表示する表示領域を決定した後に、画面を作成してもよい。画面が予め作成されている場合には、表示制御部１１３は、作成済の画面を自装置表示領域や携帯端末表示領域に表示する。また、特定の情報を表示する表示領域を決定した後に画面を作成する場合には、表示制御部は、特定の情報を表示する表示領域を決定すると、その表示領域に合わせて画面を作成し、作成した画面を表示領域に表示する。
【０１０８】
＜ハードウェア構成の他の例＞
また、上述した例では画像処理装置１００を用いた構成について説明を行ったが、ＰＣ（Personal Computer）など、表示機構を備える他の装置に本実施の形態を適用することも可能である。そこで、画像処理装置１００の代わりに、例えばＰＣなどのコンピュータ３００を用いるものとして、コンピュータ３００のハードウェア構成について説明する。
【０１０９】
図１８は、本実施の形態が適用されるコンピュータ３００のハードウェア構成例を示した図である。
図示するように、コンピュータ３００は、演算手段であるＣＰＵ３０１と、ＢＩＯＳ（Basic Input Output System）等のプログラムを格納する記憶領域であるＲＯＭ３０２と、プログラムの実行領域であるＲＡＭ３０３とを備える。また、コンピュータ３００は、ＯＳやアプリケーション等の各種プログラム、各種プログラムに対する入力データ、各種プログラムからの出力データ等を記憶する記憶領域であるＨＤＤ３０４を備える。そして、ＲＯＭ３０２やＨＤＤ３０４等に記憶されたプログラムが、ＲＡＭ３０３に読み込まれてＣＰＵ３０１に実行されることにより、コンピュータ３００の機能が実現される。
さらに、コンピュータ３００は、外部との通信を行うための通信インタフェース（通信Ｉ／Ｆ）３０５と、ディスプレイ等の表示装置３０６と、キーボードやマウス、タッチパネル等の入力デバイス３０７とを備える。
【０１１０】
また、本発明の実施の形態を実現するプログラムは、通信手段により提供することはもちろん、ＣＤ−ＲＯＭ等の記録媒体に格納して提供することも可能である。
【０１１１】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【０１１２】
１００…画像処理装置、１０４…表示機構、１１１…表示要求受付部、１１２…表示領域情報取得部、１１３…表示制御部、２００…携帯端末、２０４…画像表示部
【図１】
2020053781.tif 000003
【図２】
2020053781.tif 000004
【図３】
2020053781.tif 000005
【図４】
2020053781.tif 000006
【図５】
2020053781.tif 000007
【図６】
2020053781.tif 000008
【図７】
2020053781.tif 000009
【図８】
2020053781.tif 000010
【図９】
2020053781.tif 000011
【図１０】
2020053781.tif 000012
【図１１】
2020053781.tif 000013
【図１２】
2020053781.tif 000014
【図１３】
2020053781.tif 000015
【図１４】
2020053781.tif 000016
【図１５】
2020053781.tif 000017
【図１６】
2020053781.tif 000018
【図１７】
2020053781.tif 000019
【図１８】
2020053781.tif 000020